(57)【要約】【課題】  遠隔地等の顧客に対して、専門の担当者が効率的に情報を提供することができ、情報提供の状況を効率的に記録することができる情報提供方法を提供する。【解決手段】  顧客が使用するモバイル端末１０及び専門担当者が使用する本部端末３０は、それぞれカメラ及びマイクを備える。それらによって得られた画像及び音声が、モバイル端末１０及び本部端末３０の表示部及びスピーカを介して再生される。さらに、モバイル端末１０及び本部端末３０の表示部には、人物画像に重ならない領域に、説明データ記憶部２２に記憶されている説明用画像データに基づいて説明用画像が表示される。これらの画像データ及び音声データ、説明用画像のページ情報、ポインタの位置情報、及び、時刻が営業記録データ記憶部２４に記録される。【選択図】      図１
2005346711.tif 000002
【特許請求の範囲】
【請求項１】
少なくとも人物画像又は音声を入力する入力手段と、プレゼンテーション画像を表示する画像出力手段と、情報を説明するためのプレゼンテーション画像の画像データを記録した説明データ記憶部と、説明の状況に関する情報を記録する営業記録データ記憶部と、これらを制御するコンピュータとを用いた情報提供方法であって、
前記コンピュータが、
前記入力手段に入力された人物画像データ又は音声データを前記営業記録データ記憶部に記録する第１の段階と、
前記説明データ記憶部の画像データに基づいて前記画像出力手段に表示されたプレゼンテーション画像の画像データを特定するための識別子を前記人物画像データ又は音声データの記録と同期して前記営業記録データ記憶部に記録する第２の段階と
を実行することを特徴とする情報提供方法。
【請求項２】
前記第１の段階は、前記人物画像データ又は音声データに、前記入力された時刻に関する時刻データを付与して前記営業記録データ記憶部に記録する段階を実行し、
前記第２の段階は、前記画像出力手段にプレゼンテーション画像が表示された場合には、前記プレゼンテーション画像の画像データを特定するための識別子に関連づけて時刻データを前記営業記録データ記憶部に記録する段階を実行することを特徴とする請求項１に記載の情報提供方法。
【請求項３】
前記画像出力手段には、前記情報を説明するためのポインタが表示され、
前記第２の段階は、
前記プレゼンテーション画像の表示領域にポインタが位置する場合、前記コンピュータが、前記ポインタの位置情報と時刻データとを関連付けて、さらに前記営業記録データ記憶部に記録することを特徴とする請求項２に記載の情報提供方法。
【発明の詳細な説明】
【技術分野】
【０００１】
本発明は、遠隔地等の顧客に対して、効率的に情報の提供を行なう情報提供方法に関するものである。
【背景技術】
【０００２】
従来の営業においては、営業担当者が顧客の所に出向いて、その営業担当者が扱う商品の説明等の情報提供を行なう場合が多い。このような場合、通常、営業担当者は、予めその商品の説明資料を準備し、その説明資料を用いて情報提供を行なう。また、特に金融商品に関しては、顧客に商品の内容を充分に理解してもらった上で販売する必要があるため、顧客に説明した内容、顧客の反応を記録しておきたい場合がある。このような場合、その情報提供の状況を記憶したり、メモ等を残したりする必要があった。
【発明の開示】
【発明が解決しようとする課題】
【０００３】
今日、商品や情報の多様化により、一営業担当者が、すべての商品について十分な情報を提供することができない場合がある。特に、金融関連商品の場合には種類が多く、説明には専門的知識や説明資料が必要な場合が多い。従って、このような場合、その専門的知識を有する者（専門担当者）が、適切な説明資料を用いて対応する必要がある。
【０００４】
しかし、専門担当者の人数には限りがあり、その分野の専門担当者が営業担当者に同行して遠隔地等の顧客に対して商品説明を行なうことは、実質的に困難である。また、営業担当者が、多様化した商品に関連するすべての説明資料を持ち歩くことも困難である。
【０００５】
また、情報提供の状況の記録を営業担当者任せにしたのでは、正確な記録を残すことができず、また効率的に記録する手段もなかった。
本発明は、上記問題点を解決するためになされたものであり、その第１の目的は、遠隔地にいる顧客に対して、専門の担当者が効率的に情報を提供することができる情報提供方法を提供することにある。また、本発明の第２の目的は、情報提供の状況を効率的に記録することができる情報提供方法を提供することにある。
【課題を解決するための手段】
【０００６】
上記問題点を解決するために、請求項１に記載の発明は、少なくとも人物画像又は音声を入力する入力手段と、プレゼンテーション画像を表示する画像出力手段と、情報を説明するためのプレゼンテーション画像の画像データを記録した説明データ記憶部と、説明の状況に関する情報を記録する営業記録データ記憶部と、これらを制御するコンピュータとを用いた情報提供方法であって、前記コンピュータが、前記入力手段に入力された人物画像データ又は音声データを前記営業記録データ記憶部に記録する第１の段階と、前記説明データ記憶部の画像データに基づいて前記画像出力手段に表示されたプレゼンテーション画像の画像データを特定するための識別子を前記人物画像データ又は音声データの記録と同期して前記営業記録データ記憶部に記録する第２の段階とを実行することを要旨とする。
【０００７】
請求項２に記載の発明は、請求項１に記載の情報提供方法において、前記第１の段階は、前記人物画像データ又は音声データに、前記入力された時刻に関する時刻データを付与して前記営業記録データ記憶部に記録する段階を実行し、前記第２の段階は、前記画像出力手段にプレゼンテーション画像が表示された場合には、前記プレゼンテーション画像の画像データを特定するための識別子に関連づけて時刻データを前記営業記録データ記憶部
に記録する段階を実行することを要旨とする。
【０００８】
請求項３に記載の発明は、請求項２に記載の情報提供方法において、前記画像出力手段には、前記情報を説明するためのポインタが表示され、前記第２の段階は、前記プレゼンテーション画像の表示領域にポインタが位置する場合、前記コンピュータが、前記ポインタの位置情報と時刻データとを関連付けて、さらに前記営業記録データ記憶部に記録することを要旨とする。
【０００９】
（作用）
請求項１に記載の発明によれば、コンピュータは、人物画像データ又は音声データと、画像出力手段に表示されたプレゼンテーション画像の画像データを特定するための識別子とを、同期して記録する。このため、これらを再生することにより、事後に情報提供の状況を再現できる。また、プレゼンテーション画像の画像データを特定するための識別子を記録することにより、プレゼンテーション画像データそのものを記録する場合と異なり、記憶容量を軽減できる。
【００１０】
請求項２に記載の発明によれば、コンピュータは、人物画像データ又は音声データに、入力された時刻に関する時刻データを付与して記録する。さらに、画像出力手段に表示されたプレゼンテーション画像の画像データを特定するための識別子に関連づけて時刻データを記録する。このため、時刻データにより、画像データ又は音声データと、プレゼンテーション画像とを同期して記憶することができる。従って、これらを再生することにより、事後に情報提供の状況を把握することができる。
【００１１】
請求項３に記載の発明によれば、コンピュータは、画像出力手段に表示されたポインタの位置情報と時刻データとを関連付けて記録する。このため、ポインタを用いながらプレゼンテーション画像を提供した状況を再現でき、事後においても情報提供の状況をより正確に把握できる。
【発明の効果】
【００１２】
本発明によれば、遠隔地等の顧客に対して、専門担当者が効率的に情報提供を行なうことができる。また、顧客に提供した情報及び顧客の反応を記録することができる。
【発明を実施するための最良の形態】
【００１３】
以下、本発明を具体化した一実施形態を図１〜図１９に従って説明する。本実施形態では、銀行の営業担当者が、モバイル端末を持って顧客（情報の受給者）のところに出向き、金融情報について説明を行なう情報提供方法として説明する。この場合、リモート端末としてのモバイル端末１０をネットワークに接続し、本部にいる専門担当者（情報の説明者）の協力を得ながら、情報（ここでは、金融情報）の提供を行なう。
【００１４】
図１に示すように、金融機関サーバ２０は、ネットワークＮとしてのＰＨＳ網を介して顧客が使用するモバイル端末１０に接続されている。さらに、金融機関サーバ２０は、専用線を介して専門担当者が使用する本部端末３０に接続されている。
【００１５】
モバイル端末１０は、金融機関サーバ２０との間で通信を行なうノート型パソコン等のモバイル端末である。図２に示すように、このモバイル端末１０は、顧客や専門担当者の人物画像や説明用の画像等を出力するための画像出力手段としての表示部１１、音声出力手段としてのスピーカ１３を備えている。さらに、モバイル端末１０は、顧客の人物画像の入力手段としてのカメラ１２、音声の入力手段としてのマイク１４、及び表示部１１に表示されるポインタの位置を制御し、データを入力するためのマウス１５を備えている。
【００１６】
本部端末３０は、金融機関サーバ２０との間で通信を行なうコンピュータである。この本部端末３０には、図３に示すように、専門担当者の人物画像の入力手段としてのカメラ３２、及び専門担当者の音声の入力手段としてのマイク３４を備えている。さらに、顧客や専門担当者の人物画像、説明用の資料や説明内容のメニュー等を表示するための表示部３１、顧客の音声を再生するためのスピーカ３３、及びマウス３５を備えている。このマウス３５は、表示部３１に表示されるポインタの位置を制御し、データを入力するために用いる。
【００１７】
金融機関サーバ２０は、図１に示すように、モバイル端末１０や本部端末３０との間でデータの送受信を行なう通信手段としての管理コンピュータ２１を備えている。管理コンピュータ２１には、図示しないＣＰＵ、ＲＡＭ、ＲＯＭ等を有するコンピュータであり、各種プログラムの実行、後述するデータの管理、送受信等の制御を行なう。
【００１８】
管理コンピュータ２１には、プレゼンテーション画像を記憶する記憶手段としての説明データ記憶部２２、関連情報記憶手段としての金融データ記憶部２３及び営業記録データ記憶部２４が、それぞれ接続されている。
【００１９】
説明データ記憶部２２には、図４に示すように、顧客に対して説明を行なう場合に用いる画像に関して、説明データ２２０が格納される。本実施形態では、専門担当者は、複数の説明用画像を用いて、顧客に対して説明を行なう。このため、説明データ２２０には、説明用画像毎に、プレゼンテーション画像としての説明用画像データ、プレゼンテーション画像を特定するための識別子としてのページ情報、及び表示識別子が格納されている。
【００２０】
表示識別子は、端末の表示部に出力させる説明用画像の表示の大きさを設定するための識別子である。例えば、端末に大きく表示させる必要のある画像（例えば、グラフが含まれる画像や文字が多い画像）には、大表示フラグが記録されている。具体的には、モバイル端末１０に、説明用画像を出力するための表示領域、及びその他の画像（例えば、顧客や専門担当者の画像）を出力するための表示領域の配置に関するデータ（位置データ）を予め記憶させておく。この配置には通常配置と、説明用画像を大きく表示する大表示配置とがある。そして、この表示識別子は、通常配置と大表示配置とを使い分けるための識別子である。
【００２１】
金融データ記憶部２３には、図５に示すように、顧客に提供すべき最新の金融情報に関する金融データ２３０が記録される。本実施形態では、金融データ２３０として、データ種類、対象日時（ここでは入力時刻）及び数値データが、関連づけられて記憶されている。例えば、この金融データ２３０には、最新の「為替レート」がその入力時刻とともに記録される。
【００２２】
営業記録データ記憶部２４には、図６に示すように、説明の状況に関して営業記録データ２４０が記録される。本実施形態では、営業記録データ記憶部２４には、説明を受けているときの顧客の画像データ、顧客や専門担当者の音声データ、表示部１１及び表示部３１に出力された説明用画像のページ情報、及びポインタ位置情報が時刻毎に記憶される。
【００２３】
次に、本発明の処理手順を図７〜１９に従って説明する。ここでは、専門担当者が営業担当者に協力して説明を行なう場合の手順を図７に従って説明する。ここでは、例えば、営業担当者が顧客に「モバイルバンキング」に関する説明を行なう場合を想定する。
【００２４】
まず、銀行の営業担当者は、顧客のところに出向き、モバイル端末１０を起動する（Ｓ１−１）。そして、営業担当者は、プレゼンテーションを予定している商品に関して、説明データ記憶部２２に記録されている説明用データの送信要求をモバイル端末１０から管
理コンピュータ２１に送信する（Ｓ１−２）。
【００２５】
この送信要求を受信した管理コンピュータ２１は、説明データ記憶部２２から説明用画像データを抽出し、モバイル端末１０に送信する。モバイル端末１０は、その説明用画像データを受信し、表示部１１に、図８に示す表示画面１１０を出力する（Ｓ１−３）。
【００２６】
この表示画面１１０には、説明用画像を表示する説明表示１１１、前進キー１１２及び後退キー１１３が表示される。前進キー１１２は、説明用画像を次ページに前進させるためのボタンであり、後退キー１１３は、説明用画像を前ページに後退させるためのボタンである。前進キー１１２又は後退キー１１３がクリックされた場合には、管理コンピュータ２１は説明表示１１１に表示されている説明用画像のページの次ページ又は前ページのページを特定する。そして、管理コンピュータ２１は、対応する説明用画像データを説明データ記憶部２２から抽出し、その説明用画像データを、モバイル端末１０に送信する。これにより、営業担当者による説明が行なわれる。
【００２７】
次に、本部の専門担当者が説明を行なう場合の手順を説明する。例えば、顧客の質問に営業担当者が十分な説明できない場合がある。この場合、営業担当者は本部の専門担当者を呼び出す。ここでは、例えば、顧客が金利リスクヘッジの説明を希望した場合を想定する。この呼び出し処理は、モバイル端末１０に設けられた図示しない金利リスクヘッジ専門担当者呼び出しボタンを押すことにより行なわれる。この場合、金利リスクヘッジの専門担当者が使用する本部端末３０が、管理コンピュータ２１を介してモバイル端末１０に接続される（Ｓ１−４）。そして、表示部１１には、図９に示す表示画面１２０が表示される。一方、表示部３１にも、専門担当者の映像及び顧客の映像が表示される。
【００２８】
これらの映像を用いて、専門担当者と顧客との対話が開始される（Ｓ１−５）。この表示画面１２０には、第１の画像出力領域が設けられ、第１の画像出力領域としての専門担当者モニタ１２１、顧客モニタ１２２、前進キー１１２及び後退キー１１３が表示される。ここでは、前進キー１１２は、プレゼンテーションの開始をモバイル端末１０側から指示する場合に用いられる。一方、後退キー１１３はプレゼンテーションを終了する場合に用いられる。
【００２９】
表示画面１２０の専門担当者モニタ１２１には、カメラ３２によって撮影された専門担当者の画像が、画像データとして管理コンピュータ２１及びネットワークＮを介して本部端末３０からモバイル端末１０に送信される。顧客モニタ１２２には、カメラ１２によって撮影された顧客の画像が表示される。
【００３０】
ここでの処理を、図１７を用いて説明する。図１７に示すように、本部端末３０は、専門担当者の画像をカメラ３２によって撮影し、音声をマイク３４によって取得する（Ｓ２−１）。本部端末３０は、専門担当者の画像を表示部３１の専門担当者モニタ１４３で表示すると同時に、これらの画像データ及び音声データを管理コンピュータ２１に送信する（Ｓ２−３）。
【００３１】
一方、モバイル端末１０は、顧客の画像をカメラ１２によって撮影し、音声をマイク１４によって取得する（Ｓ２−２）。そして、モバイル端末１０は、顧客の画像を表示部１１の顧客モニタ１２２で表示すると同時に、これらの画像データ及び音声データを管理コンピュータ２１に送信する（Ｓ２−４）。
【００３２】
管理コンピュータ２１は、受信した専門担当者の画像データ及び音声データをモバイル端末１０に転送し（Ｓ２−５）、受信した顧客の画像データ及び音声データを本部端末３０に転送する（Ｓ２−６）。そして、本部端末３０は、表示部３１に表示される顧客モニ
タ１４４及びスピーカ３３で顧客の画像及び音声を再生する（Ｓ２−７）。一方、モバイル端末１０は、表示部１１に表示される専門担当者モニタ１２１及びスピーカ１３で担当者の画像及び音声を再生する（Ｓ２−８）。
【００３３】
さらに、管理コンピュータ２１は、顧客の画像データと顧客及び専門担当者の音声データとを同期させて、営業記録データ記憶部２４に、時刻（時刻データ）に関連づけて記録する（Ｓ２−９）。本実施形態では、モバイル端末１０と本部端末３０とがネットワークＮ及び管理コンピュータ２１を介して接続され、専門担当者による説明が行われている間、この一連の処理を繰り返す。すなわち、管理コンピュータ２１は、顧客の画像データ、顧客及び専門担当者の音声データ、及び、時刻を時系列に連続して営業記録データ記憶部２４に記録する。このようにして、営業状況が記録される。
【００３４】
次に、専門担当者が説明用画像を用いて説明する段階の処理を説明する（Ｓ１−６）。まず、専門担当者は、説明用画像を説明データ記憶部２２から選択する。この処理は、本部端末３０に設けられた説明用画像選択ボタンを押すことによって、後述する図１８に示す処理により行なわれる。この場合、表示部１１には、図１０に示す表示画面１３０が表示される。この表示画面１３０には、第２の画像出力領域としての説明用画像表示領域に説明表示１１１が含まれる。さらに、表示画面１３０には、専門担当者モニタ１２１、顧客モニタ１２２、前進キー１１２及び後退キー１１３が含まれる。
【００３５】
本実施形態では、説明表示１１１が表示される表示領域、及び表示部１１に表示されるその他の表示（ここでは、専門担当者モニタ１２１、顧客モニタ１２２）の表示領域の位置データを、モバイル端末１０に予め記憶させておく。そして、これらの表示領域に基づいて、説明表示１１１や専門担当者モニタ１２１、顧客モニタ１２２等を配置する。ここでは、通常配置を用いる。
【００３６】
この結果、説明表示１１１は、専門担当者モニタ１２１に重ならない領域に設定される。また、モバイル端末１０は、専門担当者モニタ１２１及び顧客モニタ１２２を、表示画面１３０上、小さく表示する。
【００３７】
さらに、表示画面１３０上には、マウス３５によって示されるポインタ１３１が表示される。
一方、表示部３１にも、表示部１１に表示される表示画面１３０に対応して、図１１に示す表示画面１４０が表示される。専門担当者は、この説明用画像に基づいて金融情報（ここでは、金利リスクヘッジ手法）についての説明を行なう。この表示画面１４０には、説明用画像を表示する説明表示１４１、メニュー表示１４２、専門担当者モニタ１４３、顧客モニタ１４４、前進キー１４５及び後退キー１４６が表示されている。
【００３８】
また、説明表示１４１上には、マウス３５によって指し示されるポインタ１４７が表示される。このポインタ１４７は、後述するように、ポインタ１３１と連動して表示される。
【００３９】
また、表示画面１４０のメニュー表示１４２には、説明データ記憶部２２に記録された説明用画像のページ情報が表示される。専門担当者は、このページ情報をクリックすることにより説明用画像を選択できる（Ｓ１−７）。具体的には、図１２に示すように、ポインタ１４７をメニュー表示１４２に移動させ、メニュー表示１４２の各項目をクリックすることにより、選択する。この場合の処理を、図１８を用いて説明する。
【００４０】
まず、説明用画像のページ情報が選択されると、本部端末３０は、その説明用画像のページ情報を管理コンピュータ２１に送信する（Ｓ３−１）。
ページ情報を受信した管理コンピュータ２１は、そのページ情報に関連づけられて記録された説明用画像データ及び表示識別子を、説明データ記憶部２２から抽出する（Ｓ３−２）。そして、管理コンピュータ２１は、抽出した説明用画像データ及び表示識別子をモバイル端末１０及び本部端末３０に送信する（Ｓ３−３、Ｓ３−４）。
【００４１】
モバイル端末１０は、表示識別子に基づいて説明用画像の表示領域（説明表示１１１）の配置及び大きさを決定する。そして、この説明表示１１１に説明用画像を表示する（Ｓ３−５）。本部端末３０においても説明表示１４１として説明用画像が表示される（Ｓ３−６）。
【００４２】
一方、管理コンピュータ２１は、モバイル端末１０及び本部端末３０に説明用画像データを送信した場合には、その説明用画像データに関するページ情報を、時系列で連続して記録している時刻、画像データ及び音声データに関連づけて営業記録データ記憶部２４に記録する（Ｓ３−７）。
【００４３】
なお、本部端末３０におけるページ情報の選択は、メニュー表示１４２中の項目を用いる場合の他、前進キー１４５若しくは後退キー１４６をクリックして行われる場合もある。また、説明用画像データの選択は、モバイル端末１０からも行われる。具体的には、表示部１１において、前進キー１１２若しくは後退キー１１３をクリックする。この場合には、選択された説明用画像データのページ情報が、モバイル端末１０から管理コンピュータ２１に、選択されたページ情報が送信される。そして、図１８のステップ（Ｓ３−２）〜（Ｓ３−７）に示す処理が同様に行われる。
【００４４】
また、大きく表示させる必要のある説明用画像データには、説明データ２２０に大表示フラグが記録されている。そこで、このような大表示フラグに関連づけられた説明用画像データが選択された場合の処理を説明する。ここでは、専門担当者が、大きく表示させる必要のある説明用画像としてグラフを含む説明用画像を選択した場合について、図１３を用いて説明する（Ｓ１−８）。
【００４５】
この説明用画像が選択された場合、管理コンピュータ２１は、この説明用画像データと表示識別子を抽出し、モバイル端末１０に送信する。
このデータを受信したモバイル端末１０は、大表示フラグに基づき、表示部１１上での説明表示１１１の配置及び大きさを決定する。この場合、大きく表示する旨の大表示フラグが設定されているので、大表示配置を用いる。そして、モバイル端末１０は、大表示配置の説明用画像表示領域にこの説明表示１１１に説明用画像を出力する。その結果、表示部１１には、表示画面１５０が出力される。
【００４６】
この表示画面１５０には、図１０に示す表示画面１３０と同様に、説明表示１１１、専門担当者モニタ１２１、顧客モニタ１２２、前進キー１１２及び後退キー１１３が表示されている。この大表示配置の場合、表示画面１２０に対して、表示画面１５０では説明表示１１１が拡大され、専門担当者モニタ１２１及び顧客モニタ１２２が縮小されて表示される。そして、前進キー１１２と後退キー１１３とが縦に配列されて、専門担当者モニタ１２１、前進キー１１２、後退キー１１３及び顧客モニタ１２２が一列に右端に配置される。このようにして、説明用画像の種類によって、表示配置を変更する。
【００４７】
次に、表示画面上に表示されるポインタ１３１に関する処理について、図１９を用いて説明する。このポインタ１３１の位置は、マウス３５により決定される。この処理は、表示部３１においてマウス３５によって指し示されるポインタ１４７が説明表示１４１中に位置する場合のみ実行される。
【００４８】
まず、本部端末３０は、ポインタ１４７が説明表示１４１上に位置する場合、そのポインタ１４７の説明表示１４１における（ｘ，ｙ）座標をポインタ位置情報として取得する（Ｓ４−１）。そして、本部端末３０は、ポインタ位置情報が取得された場合には、そのポインタ位置情報を管理コンピュータ２１に送信する（Ｓ４−２）。
【００４９】
なお、説明表示１４１に位置していたポインタ１４７が説明表示１４１上に位置しなくなった場合には、本部端末３０は、（０，０）座標をポインタ位置情報として管理コンピュータ２１に送信する。そして、管理コンピュータ２１は、受信したポインタ位置情報をモバイル端末１０に転送する（Ｓ４−３）。
【００５０】
モバイル端末１０は、受信したポインタ位置情報に基づいて、説明表示１１１上に、説明表示１４１上のポインタ１４７の（ｘ，ｙ）座標と同様の（ｘ，ｙ）座標にポインタ１３１を表示する（Ｓ４−４）。また、管理コンピュータ２１は、受信したポインタ位置情報を営業記録データ記憶部２４に記録されている最新のポインタ位置情報と比較して、それらが異なる場合は、ポインタ１４７が移動したものと判断する。
【００５１】
そして、管理コンピュータ２１は、ポインタ１４７が移動したものと判断した場合は、時系列で連続して記録している時刻、画像データ及び音声データに関連づけてポインタ位置情報を営業記録データ記憶部２４に記録する（Ｓ４−５）。なお、この図１９に示す一連の処理は、ポインタ１４７が説明表示１４１上に位置する間中、繰り返して行われる。
【００５２】
次に、専門担当者がマウス３５を操作し、ポインタを動かした場合の処理を説明する。ここでは、図１３においてポインタ位置１３１ａを指し示しているポインタ１３１を、図１４に示すポインタ位置１３１ｂまで移動させる場合を説明する。この場合、前述のように、本部端末３０は、ポインタ１４７の先端の（ｘ，ｙ）座標をポインタ位置情報として取得する処理を繰り返す。そして、本部端末３０は、ポインタ位置情報を取得する度に、そのポインタ位置情報を管理コンピュータ２１に送信する。管理コンピュータ２１は、受信したポインタ位置情報をモバイル端末１０に転送する。
【００５３】
そして、モバイル端末１０は、受信したポインタ位置情報に基づいて説明表示１１１上にポインタ１３１を表示する。すなわち、説明表示１１１において、説明表示１４１上のポインタ１４７の（ｘ，ｙ）座標と同様の（ｘ，ｙ）座標にポインタ１３１が表示される。そして、ここでは、ポインタ１３１は、ポインタ位置１３１ａからポインタ位置１３１ｂまで、説明表示１４１上でのポインタ１４７の移動に従って移動する。また、管理コンピュータ２１は、本部端末３０によるポイント位置情報の取得の度に受信したポインタ位置情報を、その直前のポインタ位置情報と比較し、これらが異なる場合は、ポインタ１４７が移動したと判断する。
【００５４】
そして、管理コンピュータ２１は、ポインタ１４７が移動した場合には、受信したポインタ位置情報を、時系列で連続して記録している時刻、画像データ及び音声データに関連づけて営業記録データ記憶部２４に記録する。すなわち、管理コンピュータ２１は、時刻、画像データ及び音声データを時系列で連続して営業記録データ記憶部２４に記録し、ポインタ１４７の（ｘ，ｙ）座標が変化した場合に、ポインタ位置情報をこれらのデータに関連づけて営業記録データ記憶部２４に記録する。ここでは、ポインタ位置１３１ａからポインタ位置１３１ｂまでの移動の過程でのポインタ位置情報が営業記録データ記憶部２４に記録される。
【００５５】
次に、説明用画像に金融データが関連づけられている場合の処理を、図１５、１６を用いて説明する（Ｓ１−９）。金融データが関連づけられている説明用画像が選択された場合、図１５に示す表示画面１６０がモバイル端末１０の表示部１１に出力される。この表
示画面１６０には、図１０に示す表示画面１３０と同様に、説明表示１１１、専門担当者モニタ１２１、顧客モニタ１２２、前進キー１１２及び後退キー１１３が表示される。さらに、説明表示１１１上には、数値データ表示ボタン１６１が表示される。ここでは、現在の為替レートを表示させる場合を想定する。
【００５６】
この数値データ表示ボタン１６１がクリックされた場合、モバイル端末１０は表示画面１６０に埋め込まれた関連識別子に基づき、図１６に示す新たなウィンドウ１６２を生成する。
【００５７】
この新たなウィンドウ１６２には、可変データ表示１６３が含まれる。さらに、モバイル端末１０は、この関連識別子を金融機関サーバ２０に送信する。この関連識別子を受信した管理コンピュータ２１は、関連識別子に関連する数値データを金融データ記憶部２３から抽出する。ここでは、最新の為替レートを金融データ記憶部２３から抽出する。そして、このデータをモバイル端末１０に送信する。そして、モバイル端末１０は、受信した数値データを可変データ表示１６３に出力する。さらに、モバイル端末１０は定期的に金融データ記憶部２３にアクセスし、最新の情報を表示する。そして、閉じるボタン１６４をクリックすると、ウィンドウ１６２が閉じる。このようにして、金融データの表示処理を終了する。
【００５８】
以上、本実施形態によれば、以下に示す効果を得ることができる。
・  上記実施形態では、表示部１１に表示される専門担当者モニタ１２１及びスピーカ１３により専門担当者の画像及び音声が再生される。また、説明用画像が、表示部１１に説明表示１１１として表示される。これにより、専門担当者は、説明用画像を用いて顧客に情報提供を行なうことができる。また、専門担当者と顧客とがネットワークＮを介して対話することができる。このため、遠隔地にいる顧客は、専門担当者による説明中に、その場で本部の専門担当者に質問することができ、これに対して専門担当者が回答することができる。
【００５９】
・  上記実施形態では、カメラ１２及びマイク１４により得られた顧客の画像データ及び音声データにページ情報及びポインタ位置情報が付されて営業記録データ記憶部２４に記録される。これにより、顧客の画像及び音声を、説明用画像及びポインタとともに再生することができ、事後的に、専門担当者による説明の状況や顧客の反応を確認できる。
【００６０】
・  上記実施形態では、表示部３１にメニュー表示１４２を表示させ、専門担当者がメニュー表示１４２中の各項目をクリックすることにより、説明用画像データが選択される。これにより、専門担当者は、説明のために必要な説明用画像データを容易に選択できる。
【００６１】
・  上記実施形態では、説明データ記憶部２２の表示識別子により表示部１１上の説明表示１１１の配置及び大きさが調整される。また、これに対応して、専門担当者モニタ１２１及び顧客モニタ１２２の大きさが調整され、これらのモニタ、前進キー１１２及び後退キー１１３の配置が調整される。これにより、例えば、説明用画像がグラフ等の場合に説明表示１１１を見やすく表示できる。また、このようにすることで、表示部１１が小さい場合であっても、説明用画像の内容に応じて、説明表示１１１を見やすく表示できる。
【００６２】
・  上記実施形態では、マウス３５によって指し示されるポインタ１３１（ポインタ１３１に対応するポインタ１４７）の位置を営業記録データ記憶部２４に記憶することで、専門担当者による説明の際のポインタ１３１の位置を再現することができる。これにより、事後、専門担当者による説明の状況を確認することができる。
【００６３】
・  上記実施形態では、数値データ表示ボタン１６１をクリックすると新たなウィンドウ１６２により、金融データ記憶部２３に記憶された数値データに基づいて可変データ表示１６３が表示される。これにより、説明データ記憶部２２の説明用画像データの更新を伴わずに最新の数値を顧客に提供することができる。
【００６４】
・  上記実施形態では、表示部３１に表示される前進キー１４５及び後退キー１４６により、説明表示１１１，１４１として表示される説明用画像を次ページ又は前ページに前進又は後退させることができる。これにより、専門担当者は顧客の質問等に応じて説明用画像を選択できる。
【００６５】
・  上記実施形態では、表示部１１に表示される前進キー１１２及び後退キー１１３により、説明表示１１１，１４１として表示される説明用画像を次ページ又は前ページに前進又は後退させることができる。これにより、顧客は、専門担当者に質問をする際に、自ら対応する説明用画像を特定できる。
【００６６】
なお、上記実施形態は、以下の態様に変更してもよい。
・  上記実施形態では、表示部１１や表示部３１には、顧客の画像及び専門担当者の画像を表示したが、いずれか一方であってもよい。例えば、表示部１１には、専門担当者の画像のみを表示し、表示部３１には、顧客の画像のみを表示してもよい。
【００６７】
・  上記実施形態では、顧客の画像データ、専門担当者及び顧客の音声データ、ページ情報及びポインタ位置情報を時刻に関連づけて営業記録データ記憶部２４に記録したが、表示部１１に表示される表示画面又は表示部３１に表示される表示画面をそのまま動画として記録してもよい。
【００６８】
・  上記実施形態では、顧客の画像データ、専門担当者及び顧客の音声データ、ページ情報及びポインタ位置情報を時刻に関連づけて営業記録データ記憶部２４に記録した。これに代えて、顧客の画像データ、専門担当者及び顧客の音声データ、ページ情報及びポインタ位置情報は、それぞれ時刻に関連づけて別々の記憶部に記録してもよい。
【００６９】
・  上記実施形態では、表示部１１上の表示及びモバイル端末１０から管理コンピュータ２１に送信する各種情報については、備えられた機能は、一律に作動することとした。これに代えて、各機能に優先順位を設けて、例えば、バッテリーが不十分である場合に、優先順位の高い機能のみを作動させてもよい。例えば、モバイル端末１０のバッテリーが十分でない場合には、管理コンピュータ２１への顧客の画像の送信を行なわないこととし、営業記録データ記憶部２４への記録を行なわない。このようにすることで、モバイル端末１０のバッテリーが十分でない場合に、特定の機能を制限して優先順位の高いものを営業記録データ記憶部２４に記録することができる。
【００７０】
・  上記実施形態では、説明表示１１１，１４１に表示させるポインタは、マウス３５によって指し示されるポインタのみとしたが、マウス１５によって指し示されるポインタについても表示してもよい。また、マウス１５によって指し示されるポインタの（ｘ，ｙ）情報についてもポインタ位置として営業記録データ記憶部２４に記憶してもよい。この場合、モバイル端末１０がマウス１５によって指し示されるポインタの（ｘ，ｙ）情報をポインタ位置情報として取得し、そのポインタ位置情報を管理コンピュータ２１に送信する。管理コンピュータ２１は、受信したポインタ位置情報を本部端末３０に転送し、本部端末３０は表示部３１上にマウス１５によって指し示されるポインタを表示させる。
【００７１】
さらに、管理コンピュータ２１は、顧客のポインタ位置を営業記録データ記憶部２４に記録する。このようにすることで、顧客が説明用画像上の記載事項を顧客のポインタによ
り指し示すことができる。例えば、顧客から専門担当者に質問する際に、一層容易に意思の疎通を図ることができる。また、営業記録データ記憶部２４に記録された顧客のポインタ位置により、事後、顧客によって示されたポインタの位置を再現でき、専門担当者により説明の状況を確認できる。
【００７２】
さらに、モバイル端末１０のバッテリーが不十分である場合には、顧客のポインタ位置の取得及び管理コンピュータ２１への送信の間隔を大きくしてもよい。このようにすることで、モバイル端末１０のバッテリーを節約できる。
【００７３】
また、ポインタの代わりに、モバイル端末１０や本部端末３０に入力された文字や図を、それぞれの端末に表示させてもよい。この場合、文字や図の入力領域を、モバイル端末１０や本部端末３０の表示画面上に設け、双方に表示される。これにより、視覚的に情報の共有化を図ることができ、両者の理解を促進させることができる。
【００７４】
・  上記実施形態では、モバイル端末１０が表示識別子に基づいて説明用画像の表示領域（説明表示１１１）及び表示部１１に表示されるその他の表示に関する表示領域の配置及び大きさを決定したが、管理コンピュータ２１が決定してもよい。この場合、管理コンピュータ２１は、表示位置の情報をモバイル端末１０に送信する。それに基づいて、モバイル端末１０は、説明表示１１１等を表示する。これにより、モバイル端末１０の負荷を軽減できる。
【００７５】
・  上記実施形態では、説明表示１１１が表示される表示領域、及び表示部１１に表示されるその他の表示の表示領域の位置データを、モバイル端末１０に予め記憶させておく。そして、これらの表示領域に基づいて、説明表示１１１や専門担当者モニタ１２１、顧客モニタ１２２等を配置する。これに代えて、モバイル端末１０（又は、管理コンピュータ２１）が、表示画面上で、相互に表示領域の重ならない領域を検出して配置を決定してもよい。例えば、まず、専門担当者モニタ１２１、顧客モニタ１２２を設定する。そして、モバイル端末１０（又は、管理コンピュータ２１）が、残った領域（専門担当者モニタ１２１、顧客モニタ１２２に重ならない領域）を検出し、この領域に説明表示１１１を出力する。また、先に説明表示１１１を設定し、残った領域に専門担当者モニタ１２１、顧客モニタ１２２を設定してもよい。これにより、それぞれの画像の属性に応じて、臨機応変に適切な配置を設定することができる。
【００７６】
・  上記実施形態では、顧客が使用する端末をノート型パソコン等のモバイル端末１０としたが、顧客が使用する端末は、例えば、各店舗に設置したパーソナルコンピュータ等のコンピュータであってもよい。
【００７７】
・  上記実施形態では、顧客と本部の専門担当者とが、本システムを用いたが、さらに多くの人が参加してもよい。例えば、顧客に対して、複数の本部端末３０から情報を提供してもよい。これにより、デリバティブの専門担当者の説明や、資金管理システムの専門説明者等から、同時に説明を受けることができる。また、複数の顧客に対して情報を提供してもよい。この場合、複数のモバイル端末１０を用いる。これにより、遠隔地で勉強会や講演会を受けることができる。
【００７８】
・  上記実施形態では、表示部１１や表示部３１には、専門担当者の映像や顧客の映像が表示される。これに加えて、両方や一方の名刺を表示させてもよい。この場合、モバイル端末１０や本部端末３０に、名刺を読み込むための光学読取手段（例えば、スキャナ）を準備し、それを用いて名刺を読み込む。そして、読み込んだ名刺画像を、専門担当者の映像や顧客の映像とともに表示する。これにより、遠隔地においても名刺交換という慣習を活かしながら情報提供を行なうことができる。
【００７９】
・  上記実施形態では、モバイル端末１０と管理コンピュータ２１とをＰＨＳ網であるネットワークＮで接続したが、顧客に情報を提供する端末と管理コンピュータ２１とを専用線、インターネット、ローカルエリアネットワーク又は広域ネットワークを用いて接続してもよい。
【００８０】
・  上記実施形態では、本部端末３０と管理コンピュータ２１とを専用線で接続したが、公衆回線、インターネット、ローカルエリアネットワーク又は広域ネットワークを用いて接続してもよい。
【００８１】
・  上記実施形態では、金融機関サーバ２０に記憶部２２〜２４を設定したが、説明データ記憶部２２、金融データ記憶部２３又は営業記録データ記憶部２４を分けて別の場所に設定してもよい。例えば、金融機関サーバ２０の説明データ記憶部２２とは別に、説明データ記憶部２２をモバイル端末１０に設定してもよい。この場合、ページ情報を送信することにより、表示部１１及び表示部３１に表示される説明用画像のページの同期をとる。これにより、データの送受信の負荷を軽減できる。
【図面の簡単な説明】
【００８２】
【図１】本発明の一実施形態のシステム概略図。
【図２】モバイル端末の外観図。
【図３】本部端末の外観図。
【図４】説明データ記憶部に記録されたデータの説明図。
【図５】金融データ記憶部に記録されたデータの説明図。
【図６】営業記録データ記憶部に記録されたデータの説明図。
【図７】本発明の一実施形態の専門担当者による説明の手順の説明図。
【図８】モバイル端末の表示部に出力された表示画面の説明図。
【図９】モバイル端末の表示部に出力された表示画面の説明図。
【図１０】モバイル端末の表示部に出力された表示画面の説明図。
【図１１】本部端末の表示部に出力された表示画面の説明図。
【図１２】本部端末の表示部に出力された表示画面の説明図。
【図１３】モバイル端末の表示部に出力された表示画面の説明図。
【図１４】モバイル端末の表示部に出力された表示画面の説明図。
【図１５】モバイル端末の表示部に出力された表示画面の説明図。
【図１６】モバイル端末の表示部に出力された表示画面の説明図。
【図１７】本発明の一実施形態の処理手順の説明図。
【図１８】本発明の一実施形態の処理手順の説明図。
【図１９】本発明の一実施形態の処理手順の説明図。
【符号の説明】
【００８３】
Ｎ…ネットワーク、１０…モバイル端末、１１…画像出力手段としての表示部、２１…管理コンピュータ、２２…プレゼンテーション画像の記憶部としての説明データ記憶部、２３…関連情報記憶手段としての金融データ記憶部、２４…営業記録データ記憶部、３０…本部端末、１１１…第２の画像出力領域としての説明表示、１２１…第１の画像表示領域としての専門担当者モニタ、１２２…第１の画像表示領域としての顧客モニタ。
【図１】
2005346711.tif 000003
【図２】
2005346711.tif 000004
【図３】
2005346711.tif 000005
【図４】
2005346711.tif 000006
【図５】
2005346711.tif 000007
【図６】
2005346711.tif 000008
【図７】
2005346711.tif 000009
【図８】
2005346711.tif 000010
【図９】
2005346711.tif 000011
【図１０】
2005346711.tif 000012
【図１１】
2005346711.tif 000013
【図１２】
2005346711.tif 000014
【図１３】
2005346711.tif 000015
【図１４】
2005346711.tif 000016
【図１５】
2005346711.tif 000017
【図１６】
2005346711.tif 000018
【図１７】
2005346711.tif 000019
【図１８】
2005346711.tif 000020
【図１９】
2005346711.tif 000021